(57)【要約】【課題】  きわめて小型小形な発光体を用い、これを導線で接続すると共に、可撓性のある透明なチューブ内に挿通し、歩行者の腰回り，たすき掛けや、首回りとか、老人、身障者などの杖とか、或は小学生のカバンなどに好みの箇所にリング状に装着して使用できるようにした歩行者用安全灯の提供。【解決手段】  透明な可撓性チューブ１内にＬＥＤ等の小型小形の発光体２，２，２，……を所望間隔を置いて多数配設し、互いに導線３で接続し、前記可撓性チューブ１の両端部を着脱可能として直線状またはリング状に形成すると共に、さらに前記可撓性チューブ１の開口部より導出される導線３にスイッチ５および着脱交換可能の小型ボタン型バッテリー７などを接続収納した筐体４を前記可撓性チューブ１の一部に固着して成ることを特徴とする歩行者用安全灯。【選択図】        図１
2005293912.tif 000002
【特許請求の範囲】
【請求項１】
透明な可撓性チューブ内にＬＥＤ等の小型小形の発光体を所望間隔を置いて多数配設し、互いに導線で接続し、前記可撓性チューブの両端部を着脱可能として直線状またはリング状に形成すると共に、さらに前記可撓性チューブの開口部より導出される導線にスイッチおよび着脱交換可能の小型ボタン型バッテリーなどを接続収納した筐体を前記可撓性チューブの一部に固着して成ることを特徴とする歩行者用安全灯。
【請求項２】
発光体には、集光用アクリル又はガラスなどの凸レンズを一体的に設けて成ることを特徴とする請求項１記載の歩行者用安全灯。
【請求項３】
可撓性チューブは合成樹脂製とし、かつ両端部の着脱手段にはマジックテープ(登録商標)で行うようにして成ることを特徴とする請求項１記載の歩行者用安全灯。
【発明の詳細な説明】
【技術分野】
【０００１】
この発明は、透明な可撓チューブ内に多数の微小発光体を導線で接続させて、点燈ないしは点滅させて、リング状に結束して人体等に装着できるようにした歩行者用安全灯に関する。
【背景技術】
【０００２】
多数の発光体を導線などで結線して照明光を発生するようにした機器や道具は広く知られている。
【０００３】
例えば、自転車の車輪の外周に装着して、夜間など暗所を走る場合に点燈させて歩行者や自動車の運転者に視認させて、交通事故を防止するようにした機器（例えば、特許文献１参照。）とか、また線状とかテープ状の発光体を、多数のＥＬ等の固体発光物質を設けて装飾，玩具，服飾，ファッションなどに用い、ディスプレイ効果を発揮できるようにした照明具（例えば、特許文献２参照。）が知られている。
【特許文献１】特開平９−３０４６７号公報
【特許文献２】特開２００３−３３８２０６号公報
【発明の開示】
【発明が解決しようとする課題】
【０００４】
これらの先行技術は、多数の電気的光源を導線等で多数連結して構成してあるが、いずれも目的用途が歩行者など人間を対象として装身するものでなく、歩行者を直接的に交通事故から守るようにしたものではない。
【０００５】
この発明は叙上の点に着目して成されたもので、きわめて小型小形な発光体を用い、これを導線で接続すると共に、可撓性のある透明なチューブ内に挿通し、歩行者の腰回り，たすき掛けや、首回りとか、老人、身障者などの杖とか、或は小学生のカバンなどの好みの箇所にリング状に装着して使用できるようにした歩行者用安全灯を提供することにある。
【０００６】
さらに発光体には、ＬＥＤなど消費電力が少なく、微少電流で発光し、さらに発熱量の少ないものを用いると共に、発光体には凸レンズを付設して集光性を上げて発光効果を向上できるようにした歩行者用安全灯を提供することにある。
【０００７】
さらに、その上、小型のボタン型のバッテリーが用いることができるようにすると共に、チューブ開口部に近く設けた筐体のスイッチを操作することにより、不使用時に消燈できるようにした歩行者用安全灯を得ることにある。
【０００８】
そして、さらにまた透明な可撓性チューブはその両端部の着脱手段により、直線状ないしリング状に変化して使用できるようにした歩行者安全灯を得ることができる。
【課題を解決するための手段】
【０００９】
この発明は、以下の構成を備えることにより上記課題を解決できる。
【００１０】
（１）透明な可撓性チューブ内にＬＥＤ等の小型小形の発光体を所望間隔を置いて多数配設し、互いに導線で接続し、前記可撓性チューブの両端部を着脱可能として直線状またはリング状に形成すると共に、さらに前記可撓性チューブの開口部より導出される導線にスイッチおよび着脱交換可能の小型ボタン型バッテリーなどを接続収納した筐体を前記可撓性チューブの一部に固着して成ることを特徴とする歩行者用安全灯。
【００１１】
（２）発光体には、集光用アクリル又はガラスなどの凸レンズを一体的に設けて成ることを特徴とする前記（１）記載の歩行者用安全灯。
【００１２】
（３）可撓性チューブは合成樹脂製とし、かつ両端部の着脱手段にはマジックテープ(登録商標)で行うようにして成ることを特徴とする前記（１）記載の歩行者用安全灯。
【発明の効果】
【００１３】
この発明によれば、全体が透明な可撓性チューブで構成されているので、低学年の児童、生徒や老人、さらには身障者、病人などの夜ないしは薄暮の歩行時、この可撓性チューブをリング状にして身体の一部や杖などに巻きつけて装着できると共に、スイッチを操作して多数の発光体を点燈ないしは点滅させることができ、発光体よりの点的照明光が透明の可撓性チューブより外部に照射し、対向する自動車やオートバイなどの走行車に人間の存在を直ちに視認させることができるので、交通事故などの不都合を完全に回避できる。また、多数の発光体をリング状に配しているので、照明器具ともなり、暗所での照明にも活用できる。
【００１４】
また、集光用の凸レンズを発光体に一体的に接着することにより、集光性が２割から４割程度向上できるので、遠方からの人の存在を確認できるなどより一層安全性を確保できる。
【発明を実施するための最良の形態】
【００１５】
以下に、この発明の一実施例を説明する。
【実施例】
【００１６】
図面について説明する。
【００１７】
各図において、１は両端が開口した直径５〜６ｍｍ程度の大きさの透明な塩ビ製の可撓性チューブ、２，２，２，……は、前記チューブ１内に導線３で並列接続した発光体で、図示では消費電流が少なく、発熱性が殆んどない発光ダイオード（ＬＥＤ）であって、前記チューブ１の長さが、児童用（小学生）で１００ｃｍ、成人用で１５０ｃｍの目安で５個〜８個位を挿入できるのが好ましい。
【００１８】
なお、発光ダイオードの発光体２，２，２，……には、その発光面にアクリル又はガラスの玉（凸レンズに相当する）を装着して発光集光を図ることができる（図示せず）。
【００１９】
また、透明な可撓チューブは、原則として無色透明が好ましいが、外観を体裁良くするため、内部が見難い乳白色とか着色構造とすることもできる。
【００２０】
４は、チューブ１の一方の開口部の近くに接着剤などで一体的に固着したスイッチ５，ＩＣコンデンサー６および着脱自在のボタン型の３Ｖ用小型バッテリー７を収納した筐体を示し、前記導線３の基部と電気的に接続してある。
【００２１】
なお、具体的な電気回路は、図３に示した通りである。
【００２２】
８，８は、チューブ１の両端に接着固定した一対の部材から成るマジックテープ(登録商標)であり、押圧，引張操作で誰でも簡単に着脱できるようになっているが、他のスナップ釦，鈎，フックなど好みの着脱手段でも実施できる。
【００２３】
また、チューブ１の両端の開口端は、閉塞する必要があるので、例えば止片９，９などで密封する。
【００２４】
以上の構成に成るので、図１の棒状（線状）に伸びた状態から両端を把持し、自分の身体とか杖などに、図２のように円形に曲げてマジックテープ(登録商標)８，８を結束し装着する。
【００２５】
筐体４に設けたスイッチ５を操作して多数の発光体２，２，２，……に通電すれば、同時に点燈ないしは点滅して外部に光を照射できる。
【００２６】
歩行者はこの状態で、夜道や暗所を歩けば、道行く自動車や自転車，オートバイなどの運転者にその存在を視認させることができ、衝突など交通事故を未然に防ぎ、安全に歩行することが可能となる。
【００２７】
外が明るくなれば、スイッチ５を開けば、発光体は消燈するし、またマジックテープ(登録商標)を外せば図１の状態にして、棒状（線状）に形を変えて必要な場所に収納できる。
【００２８】
なお、図示していないが、筐体４には照明用の発光体として、発光ダイオードを付設し、前記バッテリー７の前記スイッチ５とは別個に設けた他のスイッチと導線を介して接続し、使用中、足元など前方を照射したい時に、随時このスイッチを操作して点燈できるようにすることもできる。
【００２９】
以上説明したように、本発明は構造が簡単で、しかも、取扱いが容易であるので、特に低学年の児童や、老人あるいは身障者などに常に携行できて、随時たすき掛け，腰回り，首回りなど好みの箇所に取り付けできて、安全な歩行や夜道のジョギングなど一般人でも利用できるなど大きな実用的効果を有する。
【図面の簡単な説明】
【００３０】
【図１】本発明の一実施例を示す全体の一部切欠側面図
【図２】図１の状態よりリング状に変形させた状態の側面図
【図３】回路図の一例を示すブロック図
【符号の説明】
【００３１】
１  透明な可撓性チューブ
２，２，２，……  発光体
３  導線
４  筐体
５  スイッチ
６  ＩＣコンデンサー
７  ボタン型小型バッテリー（３Ｖ）
８，８  一対のマジックテープ(登録商標)
９，９  止片
【図１】
2005293912.tif 000003
【図２】
2005293912.tif 000004
【図３】
2005293912.tif 000005